(57)【要約】      （修正有）【課題】写真ホルダーに複数枚の写真（アルバム）を入れることができると共に、回転させ縦方向にも横方向にも位置させることができる回転式アルバムを提供する。【解決手段】基台に、二又部３ａを形成してなる立板３を立設すると共に、二又部に出し入れ自在な、背面に支持部４ｂを突設した回転可能な写真ホルダーを設けてなることを特徴とする。【選択図】図３
0003199330.tif 000002
【実用新案登録請求の範囲】
【請求項１】
基台に、二又部を形成してなる立板を立設すると共に、前記二又部に出し入れ自在な、背面に支持部を突設した回転可能な写真ホルダーを設けてなることを特徴とする回転式アルバム。
【請求項２】
前記写真ホルダーは、少なくとも一方向から写真を複数枚差し込める差込口を設けると共に、前記二又部に抜止具を設けてなることを特徴とする請求項１記載の回転式アルバム。
【請求項３】
前記抜止具は、線材を折曲し、取手部を形成すると共に、着脱自在な抜け部を設けてなることを特徴とする請求項１又は２記載の回転式アルバム。
【考案の詳細な説明】
【技術分野】
【０００１】
本考案は、写真（アルバム）として保存できると共に、写真ホルダーを回転できる回転式アルバムに関するものである。
【背景技術】
【０００２】
従来の技術としては、前面に２つの写真収納凹部が並設され中央部をシャフトによって写真セット台に回転自在に軸支された本体と、この本体の前面中央に固定されたバインダと、表面に所要の大きさを有する凹部及びこの凹部を覆い凹部内に収納される写真より大きいサイズの写真の収納を可能にする透明フィルムとを有し一側端縁部が前記バインダに綴じこまれた写真収納シートと、前記本体と写真セット台との間に介在され本体を所要角度回転する度に係止する係止機構とを備えたことを特徴とする写真立てがある。(特許文献１参照)
【０００３】
別の従来技術として、一定形状の収納部と、該収納部の端部で軸着及び回転して収納部をカバーする一定形状の蓋とからなり、上記蓋が上記収納部の軸着点Aを中心として２８０〜３４０°回転するよう形成され、収納部の軸着点Bを有する面の一方若しくは両方に爪スタンドを有し、該爪スタンドが軸着点Bを中心として蓋と反対方向に３０〜８５°回転し一定の角度で固定される構造となっており、且つ収納部と蓋とが共に透明プラスチックから構成されていることを特徴とする写真立て兼用写真収納ケースがある。(特許文献２参照)
【先行技術文献】
【特許文献】
【０００４】
【特許文献１】実開平６−１９６３１号
【特許文献２】登録実用新案第３０２９３７０号公報
【考案の概要】
【考案が解決しようとする課題】
【０００５】
前記前者は、バインダー方式であり、回転自在に軸支してなるもので、本発明のように写真ホルダーを簡単に着脱できる形態ではなく、かつ縦横がワンタッチで移動することができない。
【０００６】
また、前記後者は、爪スタンドを出し入れしながら縦や横方向に自立させるもので、１本の爪スタンドで行うため不安定である。
【０００７】
本考案は、前記問題点を解決するもので、写真ホルダーに複数枚の写真（アルバム）を入れることができると共に、回転させ縦方向にも横方向にも位置させることができる。
また、抜止具により、基台（立板）と写真ホルダーを簡単に取り外し（取り付け）できるため、メンテナンスが楽に行える。
【課題を解決するための手段】
【０００８】
本考案は、前記問題点に鑑みなされたもので、基台に、二又部を形成してなる立板を立設すると共に、前記二又部に出し入れ自在な、背面に支持部を突設した回転可能な写真ホルダーを設けてなる。また、少なくとも一方向から写真を複数枚差し込める差込口を設けると共に、前記二又部に抜止具を設けてなること。さらに、抜止具は、線材を折曲し、取手部を形成すると共に、着脱自在な抜け部を設けてなることを特徴とする。
【考案の効果】
【０００９】
１）、二又部に、回転する支持部を設けた写真ホルダーを、着脱自在に取り付けることにより、簡単に回転させて写真ホルダーを縦方向にも横方向にもできる。
２)、 抜止具により、基台（立板）から写真ホルダーを簡単に取り外すことが出来、別のタイプの写真ホルダーや壊れたときのメンテナンス等に有効である。
３)、 抜止具は、写真ホルダーの回転時のストッパーになると共に、取っ手にもなり、持ち運びできるものである。
４）、写真ホルダーには、複数枚写真やアルバムを入れることができるため、紙芝居等も出来るものである。
【図面の簡単な説明】
【００１０】
【図１】本考案の一実施例を示す回転式アルバムの正面図。
【図２】本考案の一実施例を示す回転式アルバムの側面図。
【図３】本考案の一実施例を示す回転式アルバムの作動状態図１。
【図４】本考案の一実施例を示す回転式アルバムの構成図。
【図５】本考案の一実施例を示す回転式アルバムの作動状態図２。
【考案を実施するための形態】
【００１１】
１は、回転式アルバムである。
２は、平面四角形状の基板２aに、斜状の取付台２bを設けてなる基台である。
３は、基台２（取付台２a）に長方形状の平板の先端部を切り欠き、二又部３aを形成すると共に、通孔３b・３bを穿設してある立板で、立設してある。
４は、少なくとも一方から写真を複数枚差し込める差込口４aを設けると共に、背面に円柱状の支持軸４b１と円盤状の案内板４b２とからなる支持部４bを突設した写真ホルダーで、前記立板３の二又部３aに差し込み自在に設けてある。
なお、必要に応じてガラス板４cを設けてもよい。
５は、前記二又部３aの通孔３bに着脱自在に設けてある抜止具で、線材を折曲して、取手部５aを形成すると共に、両端に長寸抜け部５b１と短寸抜げ部５b２による抜け部５bを設けてなる。（図１〜図４参照）
【００１２】
前記回転式アルバム１の使用例について説明する。
まず、組立手順について説明する。
１）、基台２の立板３の二又部３aに、上方より写真ホルダー４の支持部４bの支持軸４b１を差し込む。
２）、つぎに、長寸抜け部５b１と短寸抜げ部５b２を少し横方向に開口し、長寸抜け部５b１を一方の通孔３bに挿入する。
３）、つづいて、短寸抜げ部５b２をもう一方の通孔３bに挿入する。（図３参照）
上記の手順で組み立てるもので、分解する時はこの逆の手順で行えばよい。
つぎに、写真ホルダーの回転について説明する。
写真ホルダー４を上方に移動（抜止具５がストッパーの役目を果たす）させ回転させ、取付台２bの上面に置くだけで簡単にできます。
また、写真ホルダー４内に写真やアルバムを入れる場合は、差込口４aより簡単に出し入れでき、複数枚（例えば２０枚）可能とする。
【産業上の利用可能性】
【００１３】
主に回転式アルバムとして使用するものであるが、写真ホルダーを透明にすれば紙芝居としても使用できる。（図５参照）
また、大きくする（例えば１m〜２m位）ことによりPOP・案内板や看板等にも使用でき、色々な業界の商品に可能性がある。
【００１４】
前記実施例において、材質や大きさ（例えばA４サイズが入る）は特に限定するものではなく、必要に応じて決めればよい。
【符号の説明】
【００１５】
１――――回転式アルバム
２――――基台
３――――立板
４――――写真ホルダー
【図１】
0003199330.tif 000003
【図２】
0003199330.tif 000004
【図３】
0003199330.tif 000005
【図４】
0003199330.tif 000006
【図５】
0003199330.tif 000007
【手続補正書】
【提出日】平成27年6月4日(2015.6.4)
【手続補正１】
【補正対象書類名】実用新案登録請求の範囲
【補正対象項目名】請求項３
【補正方法】変更
【補正の内容】
【請求項３】
前記抜止具は、線材を折曲し、取手部を形成すると共に、前記二又部に対して着脱自在な抜け部を設けてなることを特徴とする請求項２記載の回転式アルバム。